(57)【要約】【課題】安全に硬貨を回収できる。【解決手段】硬貨が収納される収納部（図１では収納庫部１４）と、収納部から払い出される硬貨を搬送する出金搬送手段（図１では出金搬送機構１５）と、出金搬送手段で搬送されて、硬貨が出金される出金口Ｂと、収納部から出金口Ｂまでの硬貨の搬送途中に配置され、収納部に収納された硬貨を回収する際に、搬送される硬貨の搬送方向を切り替える切替手段（図１では切替機構１６）と、切替手段によって搬送方向が切り替えられた硬貨の搬送先に配置され、硬貨を回収する硬貨回収部Ｃと、を有する硬貨処理装置２００では、安全に硬貨が回収される。【選択図】図１
2010033410.tif 000002
【特許請求の範囲】
【請求項１】
硬貨の入金及び出金を行う硬貨処理装置において、
前記硬貨が収納される収納部と、
前記収納部から払い出される前記硬貨を搬送する出金搬送手段と、
前記出金搬送手段で搬送されて、前記硬貨が出金される出金口と、
前記収納部から前記出金口までの前記硬貨の搬送途中に配置され、前記収納部に収納された前記硬貨を回収する際に、搬送される前記硬貨の搬送方向を切り替える切替手段と、
前記切替手段によって搬送方向が切り替えられた前記硬貨の搬送先に配置され、前記硬貨を回収する硬貨回収部と、
を有することを特徴とする硬貨処理装置。
【請求項２】
前記出金口に向かって下向きに傾斜付けられ、前記出金搬送手段で搬送された前記硬貨を前記出金口に導く出金通路と、
前記出金口までの前記出金通路に、真下に向けて配置され、前記硬貨回収部と接続された回収通路と、
をさらに有し、
前記切替手段は前記出金口を塞いで、前記硬貨を前記回収通路へ搬送させることを特徴とする請求項１記載の硬貨処理装置。
【請求項３】
前記回収通路は途中で屈曲していることを特徴とする請求項２記載の硬貨処理装置。
【請求項４】
前記回収通路は前記硬貨回収部との接続部側に向かって順次広がっていることを特徴とする請求項２記載の硬貨処理装置。
【請求項５】
硬貨の入金及び出金を行う硬貨処理装置を備えた金銭処理機において、
前記硬貨が収納される収納部と、
前記収納部から払い出される前記硬貨を搬送する出金搬送手段と、
前記出金搬送手段で搬送されて、前記硬貨が出金される出金口と、
前記収納部から前記出金口までの前記硬貨の搬送途中に配置され、前記収納部に収納された前記硬貨を回収する際に、搬送される前記硬貨の搬送方向を切り替える切替手段と、
前記切替手段によって搬送方向が切り替えられた前記硬貨の搬送先に配置され、前記硬貨を回収する硬貨回収部と、
を有する硬貨処理装置を備えたことを特徴とする金銭処理機。
【請求項６】
紙幣の入金及び出金を行う紙幣処理装置と、
前記硬貨処理装置から回収される硬貨を受け入れる第１の開口を前記硬貨処理装置の搭載面に備え、前記第１の開口から硬貨を回収する前記硬貨回収部が収納され、
前記紙幣処理装置から回収される紙幣を受け入れる第２の開口を前記紙幣処理装置の搭載面に備え、前記第２の開口から紙幣を回収する紙幣回収部が収納される回収装置と、
をさらに有することを特徴とする請求項５記載の金銭処理機。
【請求項７】
前記硬貨回収部は箱型であって、前記回収装置に収納されると前記第１の開口と一致し、回収後閉鎖される硬貨回収口を備えることを特徴とする請求項６記載の金銭処理機。
【請求項８】
前記紙幣回収部は箱型であって、前記回収装置に収納されると前記第２の開口と一致し、回収後閉鎖される紙幣回収口を備えることを特徴とする請求項６記載の金銭処理機。
【請求項９】
前記紙幣回収部は、包装硬貨が格納され、前記包装硬貨の数を計数する識別部を備えた格納部を有することを特徴とする請求項６記載の金銭処理機。
【請求項１０】
前記硬貨回収部は、前記回収装置に収納した際の正面の縁部に配置された、硬貨回収口が形成された板状の被覆部材と、
前記硬貨回収口から後方へ延伸して配置され、前記硬貨回収部を前記回収装置に収納すると、前記出金口に嵌合され、前記出金口から硬貨を前記硬貨回収口にガイドするガイド部材と、を有することを特徴とする請求項６記載の金銭処理機。
【請求項１１】
紙幣の入金及び出金を行う紙幣処理装置と、
前記硬貨処理装置から回収される硬貨を受け入れる第１の開口を前記硬貨処理装置の搭載面に備え、
前記紙幣処理装置から回収される紙幣を受け入れる第２の開口を前記紙幣処理装置の搭載面に備え、
前記第１の開口から硬貨を、前記第２の開口から紙幣をそれぞれ回収する金銭回収部が収納される回収装置と、
をさらに有することを特徴とする請求項５記載の金銭処理機。
【発明の詳細な説明】
【技術分野】
【０００１】
本発明は硬貨処理装置及び金銭処理機に関し、特に、硬貨の入金及び出金を行う硬貨処理装置、及びそのような硬貨処理装置を備えた金銭処理機に関する。
【背景技術】
【０００２】
ＰＯＳ（Point Of Sales）システム等の上位装置と接続された、硬貨処理装置及び紙幣処理装置を備える金銭処理機がスーパーマーケット等の店舗に配置されている。硬貨処理装置は、投入口から入金された硬貨を金種毎に振り分けて、所定の収納庫に保管し、上位装置の指示に応じて硬貨を出金トレイに出金することができる。また、紙幣処理装置においては、硬貨処理装置と同様に紙幣について入金及び出金を行うことができる。
【０００３】
このような金銭処理機が配置された店舗では、例えば、商品取引業務の終了後に、金銭処理機に収納されている全ての硬貨及び紙幣を回収する作業が行われる。
硬貨処理装置で硬貨の回収を行う際には、収納庫に収納された全ての硬貨を一旦出金トレイに出金し、出金トレイから硬貨を、直接手を用いて回収していた。
【０００４】
しかし、出金トレイから直接手を用いて硬貨を回収すると、時間がかかるうえに、硬貨の紛失や盗難の恐れがあった。
そこで、このような問題を解決するために出金トレイの下部に回収体を配置して、硬貨の出金先が回収体に変更されて硬貨を回収する方法が提案されている（例えば、特許文献１参照）。
【特許文献１】特開２００４−１９９５９３号公報
【発明の開示】
【発明が解決しようとする課題】
【０００５】
しかし、上記特許文献１の回収体は上面開口の袋部を有した構成であるために、袋部の深さ次第では硬貨の回収後に回収体から硬貨がこぼれ落ちる可能性があった。
また、上記特許文献１では、入金された硬貨の収納庫が収納容量を超えた場合には、硬貨を抜き取るために、例えば、レジにて硬貨の入金及び出金の作業をいったん止める必要があった。
【０００６】
本発明はこのような点に鑑みてなされたものであり、安全に硬貨を回収できる硬貨処理装置、及びこのような硬貨処理装置を備えた金銭処理機を提供することを目的とする。
【課題を解決するための手段】
【０００７】
上記目的を達成するために、硬貨の入金及び出金を行う硬貨処理装置が提供される。
この硬貨処理装置は、前記硬貨が収納される収納部と、前記収納部から払い出される前記硬貨を搬送する出金搬送手段と、前記出金搬送手段で搬送されて、前記硬貨が出金される出金口と、前記収納部から前記出金口までの前記硬貨の搬送途中に配置され、前記収納部に収納された前記硬貨を回収する際に、搬送される前記硬貨の搬送方向を切り替える切替手段と、前記切替手段によって搬送方向が切り替えられた前記硬貨の搬送先に配置され、前記硬貨を回収する硬貨回収部と、を有する。
【０００８】
また、金銭処理機は、このような硬貨処理装置を備える。
このような硬貨処理装置、及びこのような硬貨処理装置を備えた金銭処理機によれば、収納部によって硬貨が収納されて、出金搬送手段によって収納部から払い出される硬貨が搬送されて、出金口によって、出金搬送手段で搬送されて、硬貨が出金されて、収納部から出金口までの硬貨の搬送途中に配置された切替手段によって、収納部に収納された硬貨を回収する際に、搬送される硬貨の搬送方向が切り替えられて、切替手段によって搬送方向が切り替えられた硬貨の搬送先に配置された硬貨回収部によって、硬貨が回収されるようになる。
【発明の効果】
【０００９】
上記硬貨処理装置、及びこのような硬貨処理装置を備えた金銭処理機では、硬貨を安全に回収できる。
【発明を実施するための最良の形態】
【００１０】
以下、実施の形態について、図面を参照しながら説明する。なお、同一又は類似の部分は同一又は類似の符号を付している。
図２は実施の形態に係る金銭処理機の斜視図である。
【００１１】
金銭処理機１００は、硬貨処理装置２００、紙幣処理装置３００及び回収装置４００を有する。このような構成の金銭処理機１００は上位装置（図示を省略）と接続されて、上位装置の指示に応じて、硬貨処理装置２００及び紙幣処理装置３００に所定の処理を行わせる。
【００１２】
硬貨処理装置２００は、硬貨が入金される硬貨投入口Ａと、金銭処理機１００に処理を実行させるための操作部２１０と、正面パネル２２１に配置され、硬貨が出金される出金口Ｂと、出金口Ｂからの硬貨を受け止める出金トレイ２２０と、金銭処理機１００に電源を投入するためのプッシュスイッチ２４０と、を有する。
【００１３】
プッシュスイッチ２４０の前面のふたを開き、プッシュスイッチ２４０を押下すると金銭処理機１００に電源が投入される。硬貨投入口Ａから硬貨処理装置２００に入金された硬貨は、金種毎に内部の所定の領域に収納されるとともに、硬貨の枚数が計数される。なお、計数された硬貨の金種毎の枚数は、例えば、操作部２１０に配置させた表示パネルに表示させるようにしても構わない。また、上位装置の指示及び操作部２１０に対する操作入力に応じて、硬貨処理装置２００に次の処理を行わせることができる。例えば、入金した硬貨をキャンセル口２３０から返却させ、所望の金種及び枚数の硬貨を出金口Ｂから出金トレイ２２０に出金させ、収納されている硬貨を硬貨回収部Ｃに回収させることができる。
【００１４】
なお、硬貨処理装置２００で行われる処理の詳細については後述する。
紙幣処理装置３００は、紙幣が入金される紙幣投入口３１０と、紙幣が出金される紙幣出金口３２０と、紙幣が回収される紙幣回収部３３０と、を有する。
【００１５】
紙幣投入口３１０から紙幣処理装置３００に入金された紙幣は、金種毎に内部の所定の領域に収納されて、紙幣の枚数が計数される。なお、計数された紙幣の枚数は、例えば、操作部２１０に配置させた表示パネルに表示させるようにしても構わない。また、上位装置の指示及び操作部２１０に対する操作入力に応じて、紙幣処理装置３００に、所望の金種及び枚数の紙幣を紙幣出金口３２０から出金させ、収納されている紙幣を紙幣回収部３３０に回収させることができる。紙幣回収部３３０は施錠されており、所定の鍵で解錠され、回収した紙幣を取り出すことができる。
【００１６】
回収装置４００は、硬貨回収部Ｃ及び紙幣予備回収部Ｄを有する。
硬貨回収部Ｃは硬貨処理装置２００と内部で通じており、硬貨処理装置２００に収納されている硬貨を、硬貨回収部Ｃに回収させることができる。なお、操作部２１０に対する操作入力によって、指定した枚数の硬貨を硬貨回収部Ｃに回収させることができる。硬貨回収部Ｃは施錠されており、所定の鍵で解錠され、取っ手４１１を持って取り出して、回収した硬貨を取り出すことができる。
【００１７】
紙幣予備回収部Ｄは、紙幣処理装置３００の紙幣回収部３３０の予備として用いられる。例えば、紙幣回収部３３０が紙幣の収容量を超えた場合に、紙幣回収部３３０と紙幣予備回収部Ｄとを交換して、作業を止めることなく、紙幣処理装置３００を利用することができる。紙幣予備回収部Ｄは施錠されており、所定の鍵で解錠されて、紙幣回収部３３０と入れ替えることができる。
【００１８】
次に、金銭処理機１００を構成する硬貨処理装置２００の内部構成について説明する。
図１は実施の形態に係る硬貨処理装置の構成を示すブロック図である。
硬貨処理装置２００は、硬貨投入口Ａから入金された硬貨の真偽を判別する検銭部１１と、真の硬貨を一旦保持する一時保留庫１２と、硬貨を金種に応じて所定の収納庫に振り分ける硬貨振分機構１３と、金種毎の硬貨の収納庫１４ａ〜１４ｆからなる収納庫部１４と、収納庫部１４から払い出された硬貨を搬送する出金搬送機構１５と、硬貨の出金先を出金口Ｂ又は硬貨回収部Ｃのいずれかに切り替える切替機構１６と、を有する。
【００１９】
このような構成を有する硬貨処理装置２００に硬貨の入金及び出金のそれぞれの流れを表した矢印に沿って図１を参照しながら説明する。
硬貨投入口Ａから硬貨処理装置２００に入金された硬貨は、検銭部１１に搬送される（矢印Ｘ１）。検銭部１１によって硬貨の真偽が判別されて、真であると判別された場合には、硬貨は一時保留庫１２へ搬送される（矢印Ｘ２）。なお、一時保留庫１２に保留された硬貨を、上位装置の指示又は操作部２１０への操作入力に応じて、キャンセル口２３０（図１には図示を省略）から外部へ返却させることもできる。一方、偽であると判別された場合には、硬貨は切替機構１６に搬送される（矢印Ｘ３）。偽の硬貨は切替機構１６によって出金口Ｂに出金される（矢印Ｘ８）。
【００２０】
一時保留庫１２の硬貨は硬貨振分機構１３へ搬送される（矢印Ｘ４）。硬貨振分機構１３では、硬貨は金種毎に所定の収納庫１４ａ〜１４ｆへ振り分けられる（矢印Ｘ５ａ〜Ｘ５ｆ）。なお、硬貨振分機構１３の振り分け方の一例として、硬貨の直径に基づき、小径から大径の硬貨に対応した切欠きが順次設けられて、搬送された硬貨は小径順に切欠きに入って所定の収納庫１４ａ〜１４ｆに収納される。また、収納される際には硬貨の枚数の計数が行われるようにしても構わない。
【００２１】
金種毎の収納庫１４ａ〜１４ｆに収納された硬貨は、上位装置の指示又は操作部２１０への操作入力に応じて、収納されている各収納庫１４ａ〜１４ｆから所定の金種及び枚数の硬貨が出金搬送機構１５に払い出される（矢印Ｘ６ａ〜Ｘ６ｆ）。なお、収納庫部１４の各収納庫１４ａ〜１４ｆには、自金種を判別可能な識別部（図示を省略）が設けられている。認識部によって、各収納庫１４ａ〜１４ｆから硬貨が払い出される度に識別されて、硬貨の払い出しが確認でき、硬貨の枚数を計数し、常に把握することができる。
【００２２】
出金搬送機構１５によって硬貨は出金口Ｂに向けて搬送されるが、途中で、切替機構１６に搬送される（矢印Ｘ７）。通常、切替機構１６は、硬貨を出金口Ｂに搬送させる（矢印Ｘ８）。このようにして、上位装置の指示又は操作部２１０への操作入力に応じて、硬貨を出金口Ｂから出金させることができる。
【００２３】
一方、収納庫部１４に収納されている硬貨を回収する場合には、上位装置の指示又は操作部２１０への操作入力によって、切替機構１６を動作させて硬貨の搬送先を硬貨回収部Ｃに切り替える。こうして、出金搬送機構１５からの硬貨を硬貨回収部Ｃに回収させることができる（矢印Ｘ９）。なお、回収する硬貨の金種及び枚数は上位装置の指示又は操作部２１０への操作入力によって指定することも可能である。
【００２４】
また、収納庫部１４のいずれかの収納庫１４ａ〜１４ｆが所定の硬貨の収納量を超えそうな場合には、そのような収納庫から硬貨を出金搬送機構１５に払い出させ、切替機構１６により硬貨回収部Ｃに回収させるようにしても構わない。この場合、各収納庫１４ａ〜１４ｆが所定の硬貨の収納量を超える際に動作が停止される硬貨処理装置２００は、動作が停止されずに続けて処理を行うことができる。
【００２５】
次に、硬貨処理装置２００の出金搬送機構１５及び切替機構１６について具体的に説明する。
図３及び図４は、実施の形態に係る硬貨処理装置の側面図である。なお、図３及び図４は、図２に示した面Ｓ１での断面であって矢印Ｚ１側から見て、硬貨処理装置２００の出金搬送機構１５及び切替機構１６について図示している。なお、面Ｓ１の断面は、出金通路２０４及び出金口Ｂを横切るものである。また、図３は硬貨の出金時、図４は硬貨の回収時の硬貨処理装置２００についてそれぞれ表している。
【００２６】
硬貨処理装置２００は、出金搬送機構１５として、シャフト（図示を省略）に支軸されたローラ２０３と、ローラ２０３に巻きつけた搬送ベルト２０２と、搬送ベルト２０２上の硬貨が搬送される搬送路２０１と、出金口Ｂに向かって下向きに傾斜付けられた出金通路２０４と、をそれぞれ有する。また、切替機構１６として、出金通路２０４の出金口Ｂ側の端部に切替ゲート２０５が配置されている。なお、出金通路２０４の出金口Ｂ側の端部に、硬貨回収部Ｃに通じる回収通路２０６が真下に向かって配置されている。
【００２７】
このような構成の硬貨処理装置２００において、硬貨の出金時には、切替ゲート２０５は回収通路２０６側に入り込み（図３）、硬貨の回収時には、切替ゲート２０５は出金口Ｂ側に入り込む（図４）。なお、切替ゲート２０５は、アクチュエータを駆動させることによって、動作させることができる。アクチュエータによる切替ゲート２０５の動作については後述する。
【００２８】
収納庫部１４に収納された硬貨が出金される場合について図３を参照しながら説明する。なお、図３中の破線の矢印Ｙ１は搬送される硬貨の流れを示している。
上位装置の指示又は操作部２１０への操作入力に応じて、収納庫部１４から払い出された硬貨は搬送ベルト２０２に搬送される。シャフト（図示を省略）に支軸されたローラ２０３の回転駆動に応じて、駆動する搬送ベルト２０２上の硬貨は搬送路２０１を搬送される。硬貨は搬送路２０１のローラ２０３側の端部まで搬送させられると、出金通路２０４に導かれる。硬貨は出金通路２０４を通過して出金口Ｂから出金して、出金トレイ２２０に受け止められる。なお、出金トレイ２２０は、図３に示されるように、断面が凹部を有し、内部に受け止めたある程度の枚数の硬貨を溜めることができる。
【００２９】
一方、収納庫部１４に収納された硬貨が回収される場合について図４を参照しながら説明する。なお、図４中の矢印Ｙ２は搬送される硬貨の流れを表している。
硬貨を回収する場合には、上位装置の指示又は操作部２１０への操作入力に応じて、切替ゲート２０５が出金口Ｂ側に入り込み、出金口Ｂが塞がれる。図３の場合と同様に、収納庫部１４から払い出された硬貨は搬送ベルト２０２に搬送される。シャフト（図示を省略）に支軸されたローラ２０３の回転駆動に応じて、駆動する搬送ベルト２０２上の硬貨は搬送路２０１を搬送される。硬貨は搬送路２０１のローラ２０３側の端部まで搬送されると、出金通路２０４に導かれる。硬貨は出金通路２０４を通過して、切替ゲート２０５によって搬送方向が切り替えられると、回収通路２０６に導かれ、硬貨回収部Ｃに回収される。なお、切替ゲート２０５の出金口Ｂを塞いだ面の反対面側を曲面にすることで、出金通路２０４から回収通路２０６に向けて通路が広がり、出金通路２０４と回収通路２０６との屈曲部での硬貨の詰まりを防止することができる。
【００３０】
このように出金時及び回収時に応じて硬貨の搬送先を切り替える切替ゲート２０５の動作について図面を参照しながら説明する。
図５は実施の形態に係る出金時の切替ゲートの側面図、図６は実施の形態に係る回収時の切替ゲートの側面図である。図５及び図６の（Ａ）は、図２に示した面Ｓ２での断面図であって矢印Ｚ２側から見て、硬貨処理装置２００の切替機構１６について図示している。なお、面Ｓ２の断面は、出金通路２０４及び出金口Ｂの平面視で右側を横切るものである。また、図５及び図６の（Ｂ）は、さらに（Ａ）の断面図である。なお、出金トレイ２２０の記載については省略している。
【００３１】
硬貨処理装置２００の出金通路２０４の、正面視で右側には、切替ゲート２０５を動作させる駆動機構が設置されている。
切替ゲート２０５の駆動機構として、図５（Ａ）に示されるように、アクチュエータ２０７と、アクチュエータ２０７によって上下に動作させられる出力軸２０８と、出力軸２０８と接続されて回転する継手２０９ａと、支軸されたシャフト（図示を省略）を中心に回転可能であって、継手２０９ａと接続されたギア２０９ｂと、ギア２０９ｂの歯車と噛み合わされ、切替ゲート２０５と同じシャフト（図示を省略）に固定され、切替ゲート２０５とともに回転するギア２０９ｃと、が配置されている。
【００３２】
このような構成を有する切替ゲート２０５の駆動機構では、硬貨を出金する場合、アクチュエータ２０７によって、出力軸２０８が上方に動作させられる。出力軸２０８の上方への動作に伴って、継手２０９ａを介してギア２０９ｂが反時計回りに回転駆動する。反時計回りに回転駆動するギア２０９ｂと噛み合ったギア２０９ｃは時計回りに回転駆動する。この際、ギア２０９ｃとともに切替ゲート２０５も、図５（Ｂ）に示されるように、時計回りに回転駆動して、出金通路２０４が出金口Ｂに通じるようになる。
【００３３】
このような状態で、図４で説明したように、収納庫部１４の硬貨を出金口Ｂから出金させて、出金トレイ２２０が受け止めることができる。
硬貨を回収する場合には、図６（Ａ）に示されるように、切替ゲート２０５の駆動機構において、アクチュエータ２０７によって、出力軸２０８が下方に動作させられる。出力軸２０８の下方への動作に伴って、継手２０９ａを介してギア２０９ｂが時計回りに回転駆動する。時計回りに回転駆動するギア２０９ｂと噛み合ったギア２０９ｃは反時計回りに回転駆動する。この際、ギア２０９ｃとともに切替ゲート２０５も、図６（Ｂ）に示されるように、反時計回りに回転駆動して、出金口Ｂ側に入り込み、出金口Ｂが塞がれる。
【００３４】
このような状態で、図４で説明したように、出金通路２０４を通過した収納庫部１４からの硬貨は切替ゲート２０５によって搬送方向が切り替えられて、回収通路２０６に導かれて、硬貨回収部Ｃに回収される。
【００３５】
上記のような硬貨処理装置２００では、収納庫部１４から出金口Ｂまでの通路に切替ゲート２０５のような切替機構１６を設けて、収納庫部１４の硬貨を硬貨回収部Ｃに回収させるようにした。このため、短時間に、安全に硬貨を回収できるようになった。
【００３６】
以下に、上記の硬貨処理装置２００、及びこのような硬貨処理装置２００を備えた金銭処理機１００に基づいた実施例について説明する。
（実施例１）
図７は実施例１の硬貨処理装置の回収通路の正面図である。
【００３７】
図７に示される硬貨処理装置２００は、硬貨回収部Ｃへ通じる回収通路２０６ａの正面図である。正面視で回収通路２０６ａの右側部には切替ゲート２０５（図７には図示を省略）の駆動機構であるアクチュエータ２０７及びアクチュエータ２０７によって上下に動作させられる出力軸２０８が配置されている。このような駆動機構によって、切替ゲート２０５が出金口Ｂ側（図７には図示を省略）に入り込み、出金通路２０４（図７には図示を省略）を通過した硬貨は回収通路２０６ａに導かれる。
【００３８】
実施例１の回収通路２０６ａは硬貨回収部Ｃに向けてまずは真下に伸びて、通路の途中で、正面視で右側へ屈曲して硬貨回収部Ｃに接続している。回収通路２０６ａに導かれた硬貨は回収通路２０６ａの屈曲部により進行方向が変えられて硬貨回収部Ｃに落下する。このように硬貨毎に拡散して落下するため硬貨回収部Ｃの一か所に積層されないために、硬貨回収部Ｃの入り口付近での硬貨による詰まりが防止される。
【００３９】
また、実施例１では、回収通路２０６ａを通路の途中で屈曲させている。これに代わって、硬貨回収部Ｃに接続される回収通路を、硬貨回収部Ｃとの接続口に近づくに連れて順次広がるようにしても、同様に硬貨を拡散させて硬貨回収部Ｃに落下させることができる。
【００４０】
（実施例２）
図８は、実施例２の（Ａ）は回収装置の、（Ｂ），（Ｃ）は硬貨回収部の斜視図であって、図９は実施例２の紙幣回収部の斜視図である。
【００４１】
なお、図８（Ａ）に示される回収装置４００は、上部に搭載する紙幣処理装置に紙幣回収部が備わっていない場合に用いられるものである。このような紙幣処理装置が実施例２の回収装置４００に搭載されて、紙幣は回収装置４００の所定の紙幣回収部に回収される。
【００４２】
回収装置４００は、硬貨回収部が挿抜されるカセット４１９と、紙幣回収部が挿抜されるカセット４２９と、カセット４１９，４２９を区切る間仕切り４３０と、カセット４１９に通じる開口４１２と、カセット４２９に通じる開口４２２とを有する。
【００４３】
このような回収装置４００に、開口４１２と回収通路２０６が合わせられて硬貨処理装置２００が搭載される。同様に、開口４２２に紙幣が出金されるように紙幣処理装置が搭載される。
【００４４】
回収装置４００のカセット４１９には、図８（Ｂ）に示される取っ手４１１が設置された箱型の硬貨回収部Ｃ１を取っ手４１１側を正面にして挿抜できる。カセット４１９に挿入させた硬貨回収部Ｃ１は開口４１２から硬貨を回収することができる。なお、硬貨回収部Ｃ１はカセット４２９にも挿抜させることができ、同様にして開口４２２から紙幣を回収することができる。
【００４５】
また、回収装置４００のカセット４１９には、図８（Ｃ）に示される硬貨回収部Ｃ２も挿抜させることができる。硬貨回収部Ｃ２は取っ手４１１を備える箱型であって、取っ手４１１側を正面にして、カセット４１９に挿入した際に開口４１２と位置合わせされる硬貨回収口４１３ｂが形成されている。カセット４１９に挿入させた硬貨回収部Ｃ２は開口４１２及び硬貨回収口４１３ｂから硬貨を回収することができる。硬貨の回収後、硬貨回収口４１３ｂはシャッター（図示を省略）で閉じられて施錠されることにより、硬貨回収部Ｃ２を取り出して、安全に管理できる。
【００４６】
一方、回収装置４００のカセット４２９には、図９（Ａ）に示される取っ手４２１を備える箱型の紙幣回収部Ｄ１を、取っ手４２１側を正面にして挿抜できる。紙幣回収部Ｄ１の上面には、カセット４２９に挿入した際に開口４２２と位置合わせされる紙幣回収口４２３ａが形成されている。カセット４２９に挿入させた紙幣回収部Ｄ１は開口４２２及び紙幣回収口４２３ａから硬貨を回収することができる。紙幣の回収後、紙幣回収口４２３ａはシャッター（図示を省略）で閉じられて施錠されることにより、紙幣回収部Ｄ１を取り出して、安全に管理できる。
【００４７】
また、回収装置４００のカセット４２９には、図９（Ｂ）に示される取っ手４２１が設置された箱型の紙幣回収部Ｄ２を取っ手４２１側を正面にして挿抜できる。紙幣回収部Ｄ２の上面には、カセット４２９に挿入した際に開口４２２と位置合わせされる紙幣回収口４２３ｂが形成されている。カセット４２９に挿入させた紙幣回収部Ｄ２は開口４２２及び紙幣回収口４２３ｂから紙幣を回収することができる。さらに、紙幣回収部Ｄ２には、棒金が配置される棒金スペース４２４が配置されている。例えば、硬貨処理装置に硬貨が必要になった場合には、紙幣回収部Ｄ２を回収装置４００から引き出して、棒金を取り出して、硬貨を充填できる。棒金スペース４２４では、配置された棒金の本数を計数することができ、計数結果は、例えば操作部２１０の表示パネルに表示できる。
【００４８】
（実施例３）
図１０は実施例３の（Ａ）は回収装置の、（Ｂ）は金銭回収部の斜視図である。
なお、図１０（Ａ）に示される回収装置４００ａは、上部に搭載する紙幣処理装置に紙幣回収部が備わっていない場合に用いられるものである。このような紙幣処理装置が実施例３の回収装置４００ａに搭載されると、硬貨及び紙幣は回収装置４００ａの金銭回収部Ｃ３に回収される。
【００４９】
回収装置４００ａは、硬貨及び紙幣が回収される金銭回収部Ｃ３が挿抜されるカセット４３９と、カセット４３９に通じる開口４１２ａ，４２２ａとを有する。
このような回収装置４００ａに、開口４１２ａと回収通路２０６が合わせられて硬貨処理装置２００が搭載される。同様に、開口４２２ａに紙幣が出金されるように紙幣処理装置が搭載される。
【００５０】
回収装置４００ａのカセット４３９には、図１０（Ｂ）に示される取っ手４１１を備える箱型の金銭回収部Ｃ３を、取っ手４１１側を正面にして挿抜できる。金銭回収部Ｃ３の上面には、カセット４３９に挿入した際に開口４１２ａ，４２２ａと位置合わせされる硬貨回収口４１３ｃ及び紙幣回収口４２３ｃが形成されている。カセット４３９に挿入させた金銭回収部Ｃ３は開口４１２ａ及び硬貨回収口４１３ｃから硬貨を、並びに開口４２２ａ及び紙幣回収口４２３ｃから紙幣をそれぞれ回収することができる。硬貨及び紙幣の回収後、硬貨回収口４１３ｃ及び紙幣回収口４２３ｃはシャッター（図示を省略）で閉じられて施錠されることにより、金銭回収部Ｃ３を取り出して、安全に管理できる。
【００５１】
（実施例４）
図１１は実施例４の（Ａ）は硬貨回収部の斜視図、（Ｂ）は硬貨処理装置の側面図である。
【００５２】
図１１（Ａ）に示される硬貨回収部Ｃ４は、取っ手４１１が設置された箱型であり、回収装置４００の硬貨処理装置２００が搭載される側のカセットに取っ手４１１側を正面にして挿抜できる。硬貨回収部Ｃ４の正面側の縁部には、硬貨回収口４１３ｄが形成された被覆部材４１４が配置されている。なお、被覆部材４１４は配置された縁部を支点として前後に回転する。被覆部材４１４の硬貨回収口４１３ｄから硬貨回収部Ｃ４の後方に延伸するように、ガイド部材４１５が配置されている。なお、ガイド部材４１５は、被覆部材４１４の配置部分を支点として前後に回転する。
【００５３】
このような構成の硬貨回収部Ｃ４を回収装置４００の所定のカセットに挿入するとともに、図１１（Ｂ）に示されるようにガイド部材４１５を出金口Ｂに挿入させる。この際、被覆部材４１４によって硬貨処理装置２００の出金トレイ２２０が塞がれる。
【００５４】
硬貨を回収する際に、例えば、切替ゲート２０５が故障して、硬貨を回収通路２０６から硬貨回収部Ｃ４に回収させることができない場合には、このような硬貨回収部Ｃ４を用いて、出金口Ｂにガイド部材４１５を挿入して、矢印Ｙ３に示されるように、硬貨を出金口Ｂから、ガイド部材４１５で硬貨回収口４１３ｄに導いて、硬貨回収部Ｃ４に回収させることができる。
【図面の簡単な説明】
【００５５】
【図１】実施の形態に係る硬貨処理装置の構成を示すブロック図である。
【図２】実施の形態に係る金銭処理機の斜視図である。
【図３】実施の形態に係る硬貨処理装置の側面図（その１）である。
【図４】実施の形態に係る硬貨処理装置の側面図（その２）である。
【図５】実施の形態に係る出金時の切替ゲートの側面図である。
【図６】実施の形態に係る回収時の切替ゲートの側面図である。
【図７】実施例１の硬貨処理装置の回収通路の正面図である。
【図８】実施例２の（Ａ）は回収装置の、（Ｂ），（Ｃ）は硬貨回収部の斜視図である。
【図９】実施例２の紙幣回収部の斜視図である。
【図１０】実施例３の（Ａ）は回収装置の、（Ｂ）は金銭回収部の斜視図である。
【図１１】実施例４の（Ａ）は硬貨回収部の斜視図、（Ｂ）は硬貨処理装置の側面図である。
【符号の説明】
【００５６】
１１  検銭部
１２  一時保留庫
１３  硬貨振分機構
１４  収納庫部
１４ａ  ５００円収納庫
１４ｂ  １０円収納庫
１４ｃ  １００円収納庫
１４ｄ  ５円収納庫
１４ｅ  ５０円収納庫
１４ｆ  １円収納庫
１５  出金搬送機構
１６  切替機構
２００  硬貨処理装置
Ａ  硬貨投入口
Ｂ  出金口
Ｃ  硬貨回収部
Ｘ１，Ｘ２，Ｘ３，Ｘ４，Ｘ５ａ，Ｘ５ｂ，Ｘ５ｃ，Ｘ５ｄ，Ｘ５ｅ，Ｘ５ｆ，Ｘ６ａ，Ｘ６ｂ，Ｘ６ｃ，Ｘ６ｄ，Ｘ６ｅ，Ｘ６ｆ，Ｘ７，Ｘ８，Ｘ９  矢印
【図１】
2010033410.tif 000003
【図２】
2010033410.tif 000004
【図３】
2010033410.tif 000005
【図４】
2010033410.tif 000006
【図５】
2010033410.tif 000007
【図６】
2010033410.tif 000008
【図７】
2010033410.tif 000009
【図８】
2010033410.tif 000010
【図９】
2010033410.tif 000011
【図１０】
2010033410.tif 000012
【図１１】
2010033410.tif 000013